(57)【要約】１．複数の電気化学的蓄電池のための熱交換器構造体である。２．１．本発明は、熱制御媒体が通過して流れる少なくとも１つのダクト部材を有する複数の電気化学的蓄電池のための熱交換器構造体に関する。２．２．本発明によれば、ダクト部材が２つの帯材を有し、それらが相互に平行に配置され、かつそれらの間に熱交換器ダクトを形成し、さらに帯材が蓄電池に適合した造形部分を有する。２．３．例えば、自動車バッテリ用に使用される。
2004504702.tif 000002
【特許請求の範囲】
【請求項１】
複数の電気化学的蓄電池（１０）のための熱交換器構造体であって、熱制御媒体が通過して流れる少なくとも１つのダクト部材（２０；７２、７８、８４；１０２、１０４、１０６）を備え、かつダクト部材（２０；７２、７８、８４；１０２、１０４、１０６）が蓄電池（１０）に適合した造形部分（５０、５２）を有する熱交換器構造体において、
蓄電池（１０）が複数の平行な層（１２、１４；７４、７６、８６；９０、９２、９４、９６）に配置され、蓄電池（１０）の第１層と第２層（１２、１４；７４、７６；９２、９４）間のそれぞれのダクト部材（２０；７２；１００）中の熱制御媒体が、蓄電池（１０）の第２層と第３層（７６、８６；９４、９６）間のそれぞれのダクト部材（８４；１０２）中、および／または第２層（１４）を閉じるダクト部材（２０）中の熱制御媒体に対して逆向きに流れることを特徴とする熱交換器構造体。
【請求項２】
ダクト部材（２０；７２、７８、８４；１０２、１０４、１０６）が帯材（５４、５６；１０８、１０２、１２６、１２８、１３０、１３２）を有し、各帯材が相互に平行に配置され、かつそれらの間に熱交換器ダクト（６８、７０；１１２、１１４、１１６）を形成することを特徴とする請求項１に記載の熱交換器構造体。
【請求項３】
蓄電池（１０）の２層（９０、９２、９４、９６）間のダクト部材（９８、１００、１０２）が、相互に分離された２つの熱交換器ダクト（１１４、１１６）から形成されていることを特徴とする請求項２に記載の熱交換器構造体。
【請求項４】
熱制御媒体が、相互に分離された熱交換器ダクト（１１４、１１６）中で、蓄電池（１０）の２層（９４、９６）間を逆向きの２方向に流れることを特徴とする請求項２または３に記載の熱交換器構造体。
【請求項５】
ダクト部材（２０；７２、７８、８４；１０２、１０４、１０６）が、帯材（５４、５６；１０８、１１０、１２６、１２８、１３０、１３２）の隣接する長手縁部に配置された支持部材（５８、６０；１３４、１３６、１４２、１４４）を有し、それぞれが帯材の間に延びるスペーサ・ウェブ（６２；１３８、１４０）を有することを特徴とする請求項２〜４のいずれかに記載の熱交換器構造体。
【請求項６】
支持部材（５８、６０；１３４、１３６、１４２、１４４）が固定ウェブ（６４）を有し、固定ウェブが、スペーサ・ウェブ（６２；１３８、１４０）に対して直角に延び、かつ帯材（５４、５６；１０８、１１０、１２６、１２８、１３０、１３２）の造形部分（５０、５２）に適合することを特徴とする請求項５に記載の熱交換器構造体。
【請求項７】
帯材（５４、５６）の長手方向に延びるスペーサ片（６６）が、ダクト部材（２０）の２つの帯材（５４、５６）の間で、それらの中間領域に設けられていることを特徴とする請求項２〜６のいずれかに記載の熱交換器構造体。
【請求項８】
ダクト部材（１０２）が、それぞれ２つの帯材（１２６、１２８、１３０、１３２）の間に２つの熱交換器ダクト（１１４、１１６）を有し、一方の熱交換器ダクト（１１４）がダクト部材（１０２）の上側に位置し、かつ他方の熱交換器ダクト（１１６）がダクト部材（１０２）の下側に位置すること、および、それぞれ２つの熱交換器ダクト（１１４、１１６）の４つの帯材（１２６、１２８、１３０、１３２）をそれらの隣接する長手縁部で連結する２つの一体型支持部材（１３４、１３６）が設けられていることを特徴とする請求項２〜７のいずれかに記載の熱交換器構造体。
【請求項９】
少なくとも１つの蓄電池（１０）を受けるための２つのダクト部材（２０；７２、７８、８４；１０２、１０４、１０６）が、相互に対向して配置され、かつ、逆向きの方向に張り出す造形部分が相互に対向して位置するように配置されていることを特徴とする請求項１〜８のいずれかに記載の熱交換器構造体。
【請求項１０】
複数のダクト部材（２０；７２、７８、８４；１０２、１０４、１０６）が、基本的に１つの平面（１１８）内にかつ相互に平行に配置され、かつ、ダクト部材（２０；７２、７８、８４；１０２、１０４、１０６）の隣接端面が分配器（１６、１８）に連結されていることを特徴とする請求項１〜９のいずれかに記載の熱交換器構造体。
【請求項１１】
少なくとも２つの分配器（１６、１８）が備えられており、それらがダクト部材（２０）に対して平行に走る少なくとも１つの取付け部材（２２、２４、２６、２８）によって接続されていることを特徴とする請求項１０に記載の熱交換器構造体。
【請求項１２】
帯材（５４、５６；１０８、１１０、１２６、１２８、１３０、１３２）の造形部分（５０、５２）が、円筒片の形状を有することを特徴とする請求項２〜１１のいずれかに記載の熱交換器構造体。
【請求項１３】
長手方向に見て、帯材（５４、５６）が、交互に逆向きの湾曲部を備える造形部分（５０、５２）を有することを特徴とする請求項２〜１２のいずれかに記載の熱交換器構造体。
【請求項１４】
長手方向に見て、帯材（１０８、１１０、１２６、１２８、１３０、１３２）が、同じ向きの湾曲部を備える造形部分を有することを特徴とする請求項２〜１２のいずれかに記載の熱交換器構造体。
【請求項１５】
複数の蓄電池（１０）を有する、特に自動車用の、電気化学的エネルギー貯蔵装置のための請求項１〜１４のいずれかに記載の熱交換器構造体の用途。
【発明の詳細な説明】
【０００１】
本発明は、熱制御媒体が通過して流れる少なくとも１つのダクト部材を有する、複数の電気化学的蓄電池のための熱交換器構造体に関する。
【０００２】
ＤＥ１９８４９４９１Ｃ１特許明細書は、複数の電気化学的蓄電池を熱制御するための装置を開示しており、その装置では熱交換器ダクトが、平行六面体蓄電池の複数層の間に配置されている。この熱交換器ダクトは、分配器に進入しかつこれらに連結されて堅固な格子状フレームを形成する。熱交換器ダクトは、四角形断面の管状部材として設計されかつ蓄電池を支持する。これらの蓄電池を固定するために、蓄電池の層中に、それらを相互に所定の間隔をおいて保持するスペーサが設けてある。さらに、ＤＥ９００２２４９Ｕ１およびＥＰ０９１７２３０Ａ１はそれぞれ、熱制御媒体が通過して流れる少なくとも１つのダクト部材を有する、複数の電気化学的蓄電池のための熱交換器構造体を開示する。この場合に、ＥＰ０９１７２３０Ａ１で開示された熱交換器構造体のダクト部材は、これらの蓄電池に適合した造形部分を有する。
【０００３】
本発明は、複数の電気化学的蓄電池のための１つの熱交換器構造体を提供することを意図するが、その熱交換器構造体はシンプルな構造に加えて、個々の蓄電池の適切な熱制御を可能にするものである。
【０００４】
この目的のために、本発明にしたがって、請求項１の特徴を有する熱交換器構造体を提供する。蓄電池に適合した造形部分を有する２つの平行な帯材の間に、熱交換器ダクトを形成することによって、蓄電池を形状嵌合いでダクト部材によって保持する。したがって、蓄電池が定位置からすり抜けないように固定するために、追加的なスペーサや保持部材が必要となることはない。これらの帯材が、形状嵌合いで蓄電池に係合することによって、大きな接触面、したがって蓄電池の適切な熱制御を得る。この場合に、これらの蓄電池に適合した、帯材の造形部分は、帯材を湾曲させることよって、または製造工程中でさえ、簡単に作製することができる。
【０００５】
本発明の有利な展開が従属請求項において規定される。
【０００６】
ダクト部材が、帯材の隣接する長手縁部に配置された支持部材を有し、それぞれが帯材の間に延びるスペーサ・ウェブを有するので、４つの部材のみから、正確に言えば、２つの帯材と２つの支持部材から、ダクト部材の特にシンプルな構造が得られる。帯材の間に延びるスペーサ・ウェブを用いることよって、相互に平行に配置された帯材の間の間隔と、したがって熱交換器の断面とが画定される。支持部材が、スペーサ・ウェブに対して直角に延び、かつ帯材の造形部分に適合する取付けウェブを有するとき、ダクト部材の特にシンプルな取付けが得られる。したがって、帯材の長手縁部が取付けウェブに当接するまで、帯材の間に支持部材を単に導入するだけでよい。この場合に、支持部材をスペーサ・ウェブおよび取付けウェブと一体に作製することが可能であり、これが熱交換器構造体のシンプルな構造に貢献する。
【０００７】
熱交換器ダクトの一定の断面は、帯材の長手方向に延びるスペーサ片をダクト部材の２つの帯材間で、これらの中間領域に設けるシンプルな方式で確保される。この方式では、例えば、２つの熱交換器ダクトを１つのダクト部材として作製することも可能である。ダクト部材が、それぞれ２つの帯材の間に２つの熱交換器ダクトを有し、一方の熱交換器ダクトがダクト部材の上側に位置し、他方の熱交換器ダクトがダクト部材の下側に位置するとき、蓄電池の２層間に配置される特定の方式において、この熱交換器構造体は適している。この場合に、冷却ダクトが相互に対称的であり得るので、その結果として、シンプルな構造と共に、蓄電池の２層間で、熱制御媒体の前進流と戻り流を実現することができる。それぞれ２つの熱交換器ダクトの４つの帯材をそれらの隣接する長手縁部で連結する、２つの一体型支持部材が設けてあることが、シンプルな構造の形成に貢献する。２つの熱交換器ダクトを、それぞれのダクト部材に設けるときでも、後者を４つの帯材と２つの支持部材からシンプルな方式で組み立てることができる。
【０００８】
熱交換器構造体の１つの設計は、少なくとも１つの蓄電池を受ける２つのダクト部材が相互に対向して配置され、かつ、逆向きの方向に張り出す造形部分が相互に対向して位置するように配置されている点で有利である。これによって、相互に対向して位置する逆向きの造形部分中に蓄電池を固定し、かつ熱交換器ダクトとこの蓄電池の間の大きな接触面によって、前記蓄電池を適正に熱制御すること、例えば、冷却することが確実になる。またこのような設計によって、特に省スペースで複数の層に蓄電池を配置することが可能であるが、特にコンパクトな配置が効果的になるように、蓄電池の個々の層を相互にオフセットすることができる。
【０００９】
複数のダクト部材が、基本的に１つの平面内にかつ相互に平行に配置され、これらのダクト部材の隣接端面が分配器に連結されるとき、蓄電池の２層間でこれらのダクト部材を熱制御しかつ定位置に取り付けるために配置することができる平面的なモジュールが得られる。熱交換器ダクトが、分配器中の分配器ダクトに連結され、さらに逆方向に通過して流れる２つの熱交換器ダクトをそれぞれのダクト部材に設けるとき、２つの分配器も同様に分配器部材中に設けられる。
【００１０】
ダクト部材に対して平行に走る少なくとも１つの取付け部材によって連結されている少なくとも２つの分配器を備えることによって、特に好都合なモジュール構成を実現することができる。それによって、安定性がありかつ平坦なモジュールが提供され、そこでは蓄電池中の分配器が取付け部材によって追加的に固定されている。その結果、３つの取付け部材をそれぞれのモジュールに設けるとき、分配器と、分配器の端部および中間部に配置した取付け部材とから成る安定性のあるフレームが得られる。結果的に、ダクト部材は特に軽量な設計になり得るが、それはフレームが分配器と取付け部材から形成され、したがって、ダクト部材は、もはや支持機能を果たす必要がないからである。この場合、取付け部材が、フレームの長手方向および横方向に蓄電池を固定するための役目もする。蓄電池と一体になって、安定性のある複合構造を形成するために、層の状態に一方を他方の上に載せて、このような複数のモジュールを配置することができる。
【００１１】
円筒形の蓄電池、すなわち、円筒電池として知られるものを熱制御するために、円筒片の形状を有するように帯材の造形部分が設けられている。長手方向に見て、帯材が交互に逆向きの湾曲部を備える造形部分を有するとき、帯材の波形が得られる。この波形の半分の波形長さの量だけオフセットするように各場合に蓄電池の層が配置されるとき、蓄電池を非常に高密度で収納し、同時に蓄電池を適正に熱制御しかつ定位置へ適正に取り付けることが実現可能である。長手方向に見て、帯材が同じ向きの湾曲部を備える造形部分を有するとき、熱交換器ダクトの蓄電池との大きな接触面によって、蓄電池の特に適正な熱制御が得られる。このような設計は、相互にオフセットしないで蓄電池の個々の層を配置するのに特に適切である。
【００１２】
本発明が基本とする目的はまた、請求項１２の特徴を有する電気化学的エネルギー貯蔵装置によって達成される。このようなエネルギー貯蔵装置では、蓄電池が複数の平行な層の状態で配置され、したがって蓄電池を確実に取り付けかつ適正に熱制御すると共に、エネルギー装置のシンプルかつコンパクトな構造が得られる。
【００１３】
蓄電池の第１層と第２層の間の熱制御媒体が、蓄電池の第２層と第３層の間の熱制御媒体に対して逆向きに流れるとき、エネルギー装置の特にコンパクトな構造を実現することができる。このような配置では、エネルギー装置の平坦な構造を実現するために、熱交換器ダクトの１層のみが、蓄電池の２層間に必要なだけである。
【００１４】
熱制御媒体が、蓄電池の２層間で、相互に分離された熱交換器ダクトへ逆向きの２方向に流入するとき、エネルギー貯蔵装置の蓄電池の特に均一な熱制御が得られる。２層間で熱制御媒体が逆向きに流れることによって、遠く下流側に位置する蓄電池の不十分な冷却または熱制御が回避される。
【００１５】
本発明の他の特徴および利点を以下の説明において、添付の図面を参照して明確にする。
【００１６】
図１に例示する電気化学的エネルギー貯蔵装置が、２つの平行な層１２および１４を成して、一方が他方の上に載るように配置されている複数の蓄電池を有する。冷却装置として使用され、かつ第１分配器１６および第２分配器１８を有する熱交換器が、これらの層１２と層１４の間に配置されている。分配器１６および１８は、それぞれの内部に分配器ダクトが配置されているが、層１２の長手方向側にある円筒形蓄電池１０に対して平行に位置する。これらの分配器１６および１８は、相互に平行に配置した複数の冷却ダクト部材２０によって連結されている。これらの冷却ダクト部材２０の隣接端面は、分配器１６にまたは分配器１８に連結されている。したがって、分配器１６の分配器ダクトは、冷却ダクトとして作用しかつこの冷却ダクト部材２０中に位置する熱交換器ダクトを経由して、分配器１８中の分配器ダクトに流体連結されている。分配器１６および１８はまた、取付け部材２２、２４、２６および２８によっても相互に連結されている。これらの取付け部材２２、２４、２６および２８は、分配器１６および１８と冷却ダクト部材２０と共に、安定性のあるフレーム様の冷却モジュール３０を形成する。この冷却モジュール３０を蓄電池の層１２と層１４の間に配置する一方、この冷却モジュール３０に基本的に構造が同一である他の冷却モジュール３２を蓄電池の層１４の下に配置する。図１に示したエネルギー貯蔵装置は、他の冷却モジュールを蓄電池１０の層１２上に配置することによって簡単に増設することが可能である。
【００１７】
図２は、図１の冷却モジュール３０を例示する。分配器１６の一端に連結具３４が設けてあり、それを介して、熱制御媒体としての冷却液が分配器１６中の分配器ダクト３６中へ流入する。この冷却液が、分配器ダクト３６から冷却ダクト部材２０中の冷却ダクト中へ流入し、それらを通過して分配器１８中の分配器ダクト中に流入する。この冷却液は分配器１８の連結具３８を介して冷却モジュール３０を退出するが、前記連結具は連結具３４の対角線上に対向して配置されている。
【００１８】
取付け部材２２、２４、２６および２８は、分配器１６および１８に対しその下面と側面でのみ係合する。したがって、取付け部材２２、２４、２６および２８を分配器１６および１８に下から押し付けることができる。取付け部材２２は、蓄電池を横方向に固定する役目をする分割片４０を有する。この目的のために、ウェブ様の分割片４０には、円弧片の形状で、かつ円筒形の蓄電池を挿入し、その結果、定位置からすり抜けないように固定する、凹部が設けてある。取付け部材２２の他の分割片４２は、主に長手方向に蓄電池を固定する役目をし、この目的のために、円筒片の形状にある凹部４４の端部にウェブ４６を有する。分配器１６および１８の対向端部に配置した取付け部材２８は、取付け部材２２と同一に構成されており、分配器１６、１８の中間部にある取付け部材２４および２６と全く同じように構成されている。しかし、分配器１６および１８の中間部にある取付け部材２４および２６はまた、連結されて単一の一体型部材を形成する。冷却モジュール３０の取付け部材２２、２４、２６および２８は、これらの上面に凹部４０および４４を有し、かつこれらの裏側に、下に配置される蓄電池の層のための対応する凹部を有する。部分的に断面を例示した取付け部材２８に、そのような取付け部材の下側にある凹部を見ることができるが、それらを参照符号４８によって示す。
【００１９】
長手方向に見て、冷却ダクト部材２０は、交互に逆向きの湾曲部を形成した部分５０および５２を有し、したがって冷却ダクト部材２０の波形が得られることが、図３の側面図から明白に分かる。これらの造形部分５０および５２は、蓄電池１０の円筒形に適合している。
【００２０】
図４の上面図から、また図３の線Ｖ−Ｖに沿って見た図５の断面図から分かるように、冷却ダクト部材２０は、相互に平行に配置した２つの帯材５４および５６を有する。支持部材５８および６０は、帯材５４、５６の隣接する長手縁部に配置されている。これらの支持部材５８、６０は、帯材５４、５６の間に延びるスペーサ・ウェブ６２をそれぞれ有する。帯材５４および５６は、これらのスペーサ・ウェブ６２のそれぞれ上側および下側を押さえて、前記帯材が相互に規定の間隔に、かつ相互に平行に配置されている。支持部材５８、６０はまた、スペーサ・ウェブ６２に対して直角に配置した固定ウェブ６４をそれぞれ有する。冷却ダクト部材２０を取り付けるためには、支持部材５８、６０を帯材５４、５６の間に入れて、これらの長手縁部が固定ウェブ６４に当接するまで押し込む。
【００２１】
スペーサ細片６６が、帯材５４、５６の間で、支持部材５８、６０に対して中央に配置されている。このスペーサ細片６６を用いることによって、帯材５４、５６の間隔がそれらの全幅にわたって一定に保たれる。したがって、帯材５４、５６の間に形成した冷却ダクト６８および７０の横断面も冷却ダクト部材２０の全長にわたって一定である。帯材５４、５６がスペーサ・ウェブ６２のそれぞれ上側および下側を押さえ、かつそれらの長手縁部が固定ウェブ６４に当接することによって、冷却ダクト部材２０の取付け時にむずかしい調整を行う必要もなく、冷却ダクト６８、７０は規定の断面を有する。
【００２２】
帯材５４、５６の波形断面が図４の線ＶＩ−ＶＩに沿って見た図６の断面図で明白に分かる。帯材５４、５６は、それらの全長にわたって相互に平行に配置され、かつそれらの間に冷却ダクト７０を形成する。帯材の波形は、例えば、単に帯材を湾曲させるだけで、あるいは製造工程中に帯材を造形することによって実現することができる。例示した実施形態では、熱交換器構造体がポリカーボネート・プラスチックから成る。
【００２３】
図７の断面は、蓄電池１０の５つの平行な層を有する本発明によるエネルギー貯蔵装置を例示する。蓄電池１０のそれぞれの層は、図１から図７に関連して説明したように、２つの冷却モジュールの間に収容されている。蓄電池１０の個々の層はそれぞれ、冷却ダクト部材２０の波形の波形長さの半分の量だけ相互にオフセットされている。図７で分かるように、それによって非常にコンパクトな装置が得られ、そこでは２つの層の間に配置した冷却ダクト部材７２が、上方に配置した第１層７４の蓄電池と下方に配置した第２層７６の蓄電池とに交互に係合する。冷却ダクト部材７２、７８は、これらの端面がそれぞれ分配器８０に連結する。分配器８０中に配置した分配器ダクトは、冷却液が平面から平面へ方向を変えるように、連結ライン８２を介して、相互にかつ冷却ダクト部材７２、７８中の冷却ダクトに連結されている。したがって、第１層７４と第２層７６の間の冷却ダクト部材７２中の冷却液は、第２層７６と第３層８６の間の冷却ダクト部材８４中の冷却液に対して逆向きに流れる。それによって、個々の層７４、７６および８６中の蓄電池は、同じ層中のそれらの位置に関係なく均一に冷却される。
【００２４】
図７のエネルギー貯蔵装置の、図８に示した上面図で、分配器８０と、相互に平行に配置され、かつ分配器８０を連結する冷却ダクト部材７８とを見ることができる。接触子８８を介して個々の蓄電池１０を相互に接続できるが、その接触子は蓄電池１０の端面に接触可能である。
【００２５】
本発明の第二実施形態による、図９に断面で例示するエネルギー貯蔵装置は、蓄電池１０の４つの層を有するが、前記４つの層が相互に平行に配置されている。図７および図８に例示した第一実施形態とは異なり、これらの平行な層９０、９２、９４および９６は、相互にオフセットされるようには配置されていない。２つの層９０、９２、９４および９６の間に配置された冷却ダクト部材９８、１００および１０２は、それぞれの場合で、冷却ダクト部材９８、１００および１０２ごとにそれぞれ２つの冷却ダクトを有する。最下部の冷却ダクト部材１０４と最上部の冷却ダクト部材１０６だけは、それぞれに１つの冷却ダクトしか具備していない。
【００２６】
図１０は、図９に例示したエネルギー貯蔵装置の細部Ｘを拡大して示す。冷却ダクト部材１０４が、相互に平行に配置され、かつ冷却ダクト１１２を間に形成する帯材１０８および１１０を有する。帯材１０８および１１０の造形部分は、円筒片の形状を有する。それによって、冷却ダクト部材１０４の帯材１０８が、形状嵌合いで層９６の蓄電池に係合する。帯材１０８、１１０の長手方向に見て、帯材１０８、１１０は、同じ向きの湾曲部が形成された部分を有する。層９４および９６の間に配置した冷却ダクト部材１０２は、２つの冷却ダクト１１４および１１６を有するが、それらを通って冷却液が逆向きの方向に流れる。それによって、層９４および９６の間の平面１１８領域では、冷却液の反対の流れが得られ、その結果、蓄電池１０の特に均一な熱制御が可能となる。冷却ダクト１１４が分配器ダクト１２０中に進入し、さらに冷却液の流れる方向で分かるように、冷却ダクト１１６が分配器ダクト１２２から発する。冷却ダクト１１２は分配器ダクト１２４の中に進入する。図１１および図１２は、冷却ダクト部材１０２をより詳細に例示する。図１１の線ＸＩＩ−ＸＩＩに沿って見た図１２の断面図が、４つの帯材１２６、１２８、１３０および１３２と、２つの支持部材１３４および１３６から成る冷却ダクト部材１０２の構造を示す。支持部材１３４は一体に作製されており、スペーサ・ウェブ１３８によって、帯材１２６および１２８を相互に規定の間隔に、かつ相互に平行に保持する。支持部材１３４のスペーサ・ウェブ１４０は、帯材１３０および１３２を相互に規定の間隔に、かつ相互に平行に保持する。支持部材１３６は、支持部材１３４と同一に構成されている。
【００２７】
図１３および１４の図は、冷却ダクト部材１０４の詳細図を示す。図１３の線ＸＩＶ−ＸＩＶに沿って見た図１４の断面図では、帯材１０８および１１０が、２つの支持部材１４２および１４４によって相互に一定の間隔に、かつ相互に平行に保持されていることが分かる。
【図面の簡単な説明】
【図１】
本発明の第一実施形態によるエネルギー貯蔵装置と熱交換器構造体の部分断面を示す斜視図である。
【図２】
図１に示した熱交換器構造体の部分断面を示す斜視図である。
【図３】
図２の熱交換器構造体で使用するダクト部材を示す部分側面図である。
【図４】
図３のダクト部材の端面を示す拡大上面図である。
【図５】
図３の線Ｖ−Ｖに沿って示す拡大断面図である。
【図６】
図３のダクト部材を示す長手方向の部分断面図である。
【図７】
本発明の第一実施形態によるエネルギー貯蔵装置を示す断面図である。
【図８】
図７のエネルギー貯蔵装置を示す部分上面図である。
【図９】
本発明の第二実施形態によるエネルギー貯蔵装置を示す断面図である。
【図１０】
図９の細部Ｘを拡大して例示する図である。
【図１１】
図１０の第１ダクト部材を示す部分側面図である。
【図１２】
図１１の線ＸＩＩ−ＸＩＩに沿って見た断面を示す拡大図である。
【図１３】
図１０の第２ダクト部材を示す部分側面図である。
【図１４】
図１３の断面ＸＩＶ−ＸＩＶに沿って見た断面示す拡大図である。
【図１】
2004504702.tif 000003
【図２】
2004504702.tif 000004
【図３】
2004504702.tif 000005
【図４】
2004504702.tif 000006
【図５】
2004504702.tif 000007
【図６】
2004504702.tif 000008
【図７】
2004504702.tif 000009
【図８】
2004504702.tif 000010
【図９】
2004504702.tif 000011
【図１０】
2004504702.tif 000012
【図１１】
2004504702.tif 000013
【図１２】
2004504702.tif 000014
【図１３】
2004504702.tif 000015
【図１４】
2004504702.tif 000016
【国際公開パンフレット】
2004504702.tif 000017
2004504702.tif 000018
2004504702.tif 000019
2004504702.tif 000020
2004504702.tif 000021
2004504702.tif 000022
2004504702.tif 000023
2004504702.tif 000024
2004504702.tif 000025
2004504702.tif 000026
2004504702.tif 000027
2004504702.tif 000028
2004504702.tif 000029
2004504702.tif 000030
2004504702.tif 000031
2004504702.tif 000032
2004504702.tif 000033
2004504702.tif 000034
2004504702.tif 000035
2004504702.tif 000036
2004504702.tif 000037
2004504702.tif 000038
2004504702.tif 000039
2004504702.tif 000040
2004504702.tif 000041
2004504702.tif 000042
【国際公開パンフレット（コレクトバージョン）】
2004504702.tif 000043
2004504702.tif 000044
【国際調査報告】
2004504702.tif 000045
2004504702.tif 000046
2004504702.tif 000047
2004504702.tif 000048